(57)【要約】      （修正有）【課題】簡単な構成で、ポスターの所望部分を他よりも目立つように照明する電飾看板を提供する。【解決手段】電飾看板は、基部８と、基部８の上に設けられ、透光性を有しているポスター用パネルを含むポスター部７と、基部８及びポスター部７の間に設けられ、ポスター部７の所望の部分を他の部分よりも明るく照明するように、基部８に着脱可能に配置された部分照明ユニット４と、を備えた。基部８は、アルミ製の底部９と、基部８の外周を囲んでおり、透光性を有している乳白色アクリル製の外周フレーム１０とで区画される空間を備えている。この空間には、ポスター部７の全面を照明する全面照明ユニット１１と、全面照明ユニット１１上に設けられた部分照明ユニット４と、外周フレーム１０を照明する外周照明ユニット１２とが設けられている。全面照明ユニット１１は、導光板１３を含んでいる。【選択図】図４
0003211723.tif 000002
【実用新案登録請求の範囲】
【請求項１】
基部と、前記基部の上に設けられ、透光性を有しているポスター用パネルを含むポスター部と、前記基部及びポスター部の間に設けられ、前記ポスター部の所望の部分を他の部分よりも明るく照明するように、前記基部に着脱可能に配置された部分照明ユニットと、を備えたことを特徴とする電飾看板。
【請求項２】
前記部分照明ユニットは、前記基部に着脱可能で、前記所望の部分の形状に配置できる一連の又は不連続なシートと、前記シート上に設けられた発光部とを含む、請求項1に記載の電飾看板。
【請求項３】
前記基部は当該基部の外周を照明する外周照明ユニットを含む、請求項１又は請求項２に記載の電飾看板。
【請求項４】
前記基部は前記ポスター部の全面を照明する全面照明ユニットを含み、前記部分照明ユニットは前記全面照明ユニットよりも明るく前記所望の部分を照明するようになっている、請求項１乃至請求項３の何れか一項に記載の電飾看板。
【請求項５】
前記基部は、底部と、前記底部と前記ポスター部との間に前記部分照明ユニット及び前記全面照明ユニットを内包するように設けられ、透光性を有している外周フレームとを含んでおり、
前記全面照明ユニットは、導光板を有しており、
前記外周照明ユニットは、前記外周フレーム及び前記導光板の間に設けられおり、前記外周フレームだけでなく前記導光板も照明する、請求項４に記載の電飾看板。
【考案の詳細な説明】
【技術分野】
【０００１】
本考案は、遊技場、店舗等で用いられる電飾看板の改良に関する。
【背景技術】
【０００２】
従来、セットされたポスターをバックライトにより照らして目立たせるタイプの電飾看板が知られている。ポスターの一部を他の部分よりも目立たせる方法として、例えば、下記特許文献のように、導光板の下側に上記一部に相当する場所の反射率を高めた反射シートを敷く技術が提案されている。
【先行技術文献】
【特許文献】
【０００３】
【特許文献１】特開平１０−１１００１号公報
【考案の概要】
【考案が解決しようとする課題】
【０００４】
看板にセットされるポスターは、例えばシーズンごとに交換されるが、前記従来の方法では、目立たせる部分の位置が固定されているので、ポスター作成時に位置合わせが必要になり、不便である。
【０００５】
本考案は、上記従来例の問題を解決するためになされたものであり、ポスターの目立たせる部分を柔軟に変えることのできる電飾看板を提供することを目的とする。
【課題を解決するための手段】
【０００６】
上記目的を達成するために本考案に係る電飾看板は、基部と、前記基部の上に設けられ、透光性を有しているポスター用パネルを含むポスター部と、前記基部及びポスター部の間に設けられ、前記ポスター部の所望の部分を他の部分よりも明るく照明するように、前記基部に着脱可能に配置された部分照明ユニットと、を備えたことを特徴とする。
【０００７】
前記部分照明ユニットは、前記基部に着脱可能で、前記所望の部分の形状に配置できる一連の又は不連続なシートと、前記シート上に設けられた発光部とを含むのが好ましい。
【０００８】
前記基部は当該基部の外周を照明する外周照明ユニットを含むのが好ましい。
【０００９】
前記基部は前記ポスター部の全面を照明する全面照明ユニットを含み、前記部分照明ユニットは前記全面照明ユニットよりも明るく前記所望の部分を照明するようになっているのが好ましい。
【００１０】
前記基部は、底部と、前記底部と前記ポスター部との間に前記部分照明ユニット及び前記全面照明ユニットを内包するように設けられ、透光性を有している外周フレームとを含んでおり、前記全面照明ユニットは、導光板を有しており、前記外周照明ユニットは、前記外周フレーム及び前記導光板の間に設けられおり、前記外周フレームだけでなく前記導光板も照明するのが好ましい。
【考案の効果】
【００１１】
本考案によれば、部分照明ユニットの位置を変更するだけで、ポスター部の目立たせる位置変更に柔軟に対応することができ、電飾看板の汎用性を高めることができる。
【図面の簡単な説明】
【００１２】
【図１】本考案の電飾看板の実施例を示す図。
【図２】実施の形態に係る電飾看板の正面図。
【図３】同電飾看板のA-A’線断面図。
【図４】同電飾看板の構成を示す分解斜視図。
【図５】同電飾看板の上側パネルを取り外した正面図。
【図６】同電飾看板の外周照明ユニットの配置位置を示す斜視図。
【考案を実施するための形態】
【００１３】
本考案の電飾看板は、ポスター用パネルを含むポスター部と基部との間に、配置変更可能で、ポスター部の所望の部分を他の部分より明るく照明する部分照明ユニットを備えたことを特徴とする。部分照明ユニットは、一連の又は不連続なテープ状又は島状の発光部を含み、この発光部の下面に、基部に着脱可能にする部分、例えば粘着部分又はマグネットを備える。基部は、ポスター部の全面を照明する全面照明ユニットと基部の外周を照明する外周照明ユニットとを含むのが好ましい。外周照明ユニットは、基部の外周だけでなく、全面照明ユニットの導光板も照明するように構成するのが好ましい。
【００１４】
図１は、本考案の一実施例に係る電飾看板１の正面図を示す。電飾看板１は、略直方体形状を有しており、ポスター２の「営業中」の部分３の直下に、一列に並べられたＬＥＤを発光する部分照明ユニット４を備え、当該部分３を他の部分よりも目立たせる。電飾看板１は、部分照明ユニット４の配置を、種々変更できることを特徴とする。
【００１５】
以下、電飾看板１において、部分照明ユニット４の配置を変更し、異なる部分を目立たせるようにした場合について説明する。部分照明ユニット４の配置以外は同一の構成である。
【００１６】
図２は、実施形態に係る電飾看板１の正面図である。電飾看板１の表面には、透光性を有しているポスター用パネルとして、光拡散作用のある乳白色アクリル製の表板５が設けられている。表板５は、その上部に、ポスター２（図示せず）を差し込む透明アクリル製のポケット６を備えている。表板５とポケット６とでポスター部７が構成されている。
【００１７】
図３は、図２に示した電飾看板１のＡ−Ａ’線に沿う断面図を示す。図４は、電飾看板１の分解斜視図を示す。電飾看板１は、基部８と、基部８の上に設けられたポスター部７と、基部８及びポスター部７の間に設けられ、ポスター部７の所望の部分を他の部分よりも明るく照明するように、前記基部８に着脱可能に配置された部分照明ユニット４と、を備えている。
【００１８】
基部８は、アルミ製の底部９と、基部８の外周を囲んでおり、透光性を有している乳白色アクリル製の外周フレーム１０とで区画される空間を備えている。本実施形態では、部分照明ユニット４は、省スペースの観点からこの空間内に収められている。アルミ製の底部９は、放熱性及び剛性が優れているが、軽量化のためアルミ複合板を用いてもよい。
【００１９】
この空間には、ポスター部７の全面を照明する全面照明ユニット１１と、全面照明ユニット１１上に設けられた部分照明ユニット４と、外周フレーム１０を照明する外周照明ユニット１２とが設けられている。全面照明ユニット１１は、導光板１３を含んでいる。導光板１３は、レーザー加工によって底面に斜め格子状の溝、光反射性能のあるドット印刷、ドット状若しくは円柱状の彫刻等を設けておき、側方からの光を上面に取り出す周知のものを採用する。外周照明ユニット１２は、外周フレーム１０及び導光板１３の間に設けられており、外周フレーム１０だけでなく、導光板１３も照明するように構成されている。外周照明ユニット１２を設けたことによって、電飾看板１の外周を照明し、より看者の注意をひくことができる。
【００２０】
外周照明ユニット１２は、アルミフレーム１４と、当該アルミフレーム１４の内側に取り付けられているＬＥＤテープ１５と、外側に取り付けられているＬＥＤテープ１６とで構成される。ＬＥＤテープ１５には、導光板１３を照明する白色ＬＥＤが多数取り付けられている。ＬＥＤテープ１６には、外周フレーム１０を様々な色で照明するためＲ／Ｇ／Ｂ３原色ＬＥＤが多数取り付けられている。導光板１３及び外周照明ユニット１２のＬＥＤテープ１５とで、ポスター部７の全面を照明する全面照明ユニット１１が構成される。部分照明ユニット４は、この全面照明ユニット１１よりも明るくポスター部７を照明する。
【００２１】
外周照明ユニット１２は、アルミフレーム１４の下側が嵌る底部９の溝１７と、表板５とアルミフレーム１４の上側との間に設ける押さえ部材１８と、によって位置決めされる。アルミフレーム１４の表裏にＬＥＤテープ１５、１６を取り付けたことによって、外周照明ユニット１２は、省スペースで、外周フレーム１０だけでなく導光板１３も照明することができる。また、外周照明ユニット１２は、芯材にアルミフレーム１４を用いることによって、良好な取り付け剛性の他、良好な放熱性を有している。
【００２２】
底部９及び導光板１３との間には、ＬＥＤテープ１５のＬＥＤと導光板１３との位置合わせを行うスペーサー１９が設けられている。導光板１３は、スペーサー１９を挟んで接着され、または、ねじ止めすることによって底部９に固定されている。
【００２３】
また、底部９及び外周フレーム１０の間には、反射シートの一種であるホログラムシート２０が設けられており、ＬＥＤテープ１６により照明される外周フレーム１０の色彩に複雑な変化を加え、看者を飽きさせない工夫が施されている。表板５と、外周フレーム１０と、ホログラムシート２０と、底部９とは、接着剤又はねじによって接続されている。
【００２４】
図５は、電飾看板１の表板５を取り外した状態の正面図である。図６は、外周照明ユニット１２を配置する位置を示す斜視図である。外周照明ユニット１２は、外周フレーム１０と導光板１３との間に配置される。
【００２５】
部分照明ユニット４では、不連続な２つの島状のシート２１、２２の上面に、片面に多数のＲ／Ｇ／Ｂ３原色ＬＥＤを取り付けてあるタイプのＬＥＤテープ２３を九十九折状態に設け、面発光する発光部を構成している。これにより、様々な色の組み合わせの発光を可能にしている。また、ＬＥＤテープを用いることにより、配線の簡略化を図ることができる。
【００２６】
シート２１、２２の裏面には、導光板１３に着脱可能にシート２１、２２を取り付ける粘着部分が設けられている。この粘着部分には、例えば、株式会社プラスによって提供されている「粘着ピン（商品名）」を用いる。部分照明ユニット４の電源コード２４と、外周照明ユニット１２の電源コード２５とは、底部９に設けた穴２６を通って外部の電源装置２７に接続されている。なお、図１に示した電飾看板１は、例えば、シート２２を「営業中」の文字位置に配置し、電源装置２７によってＬＥＤテープ２３の一部または全部を直線状に発光させたものである。電源装置２７によるＬＥＤの発光制御は周知技術によって実現されるものであり、ここでの詳細な説明は省く。
【００２７】
上記のように構成された電飾看板１は、粘着部分によって着脱可能に取り付けられている部分照明ユニット４の配置を変えることによって、ポスター部７にセットされるポスター２の任意の一部分を他の部分よりも目立つように明るく照明することができる。例えば、液晶ディスプレイを採用する場合に比べ、極めて簡単な構成にもかかわらず、看板の一部を他よりも目立たせて看者の注意をひくことができる。また、電飾看板１は、部分照明箇所が固定されている場合に比べて、構成上の制限なく自由に描かれたポスター２の使用と、それによって変わる所望部分の照明とを可能にする、という汎用性を有している。
【００２８】
なお、本考案は、上記実施形態の構成に限られず、考案の趣旨を変更しない範囲で種々の変形が可能である。例えば、部分照明ユニット４は、下面に設けた粘着部分によって導光板１３に着脱可能に取り付けるが、これに限定されない。例えば、導光板１３上に金属メッシュを貼り付け、部分照明ユニット４の下面にマグネットを取り付けた構成を採用してもよい。この場合、金属メッシュ部分を介して部分照明ユニット４の放熱性が改善される。
【００２９】
部分照明ユニット４は、不連続な２つの島状のシート２１、２２の形状の、導光板及び当該導光板の照明ユニットで構成してもよい。
【００３０】
部分照明ユニット４は、不連続な２つの島状のシート２１、２２の代わりに、一連のシート、または、３以上の島状のシートを用いてもよく、更には、ＬＥＤテープを用いる代わりに、有機又は無機ＥＬシートを発光部として用いることもできる。ＥＬシートは、面発光するため、ムラの少ない均一な照明を実現することができる。また、ＬＥＤテープを用いる場合に比べて部分照明ユニット４の部品数を少なく抑えることができる。
【００３１】
ポスター部７を構成する表板５には、ポスター２を交換可能に取り付けるためポケット６が設けられているが、これに限定されない。例えば、矩形の透明アクリル製パネルの４隅を表板５上にねじ止めし、この間にポスター２を挟む構成を採用してもよい。さらには、ポスター２を乳白色アクリル製パネルの表板５に直接印刷する構成を採用してもよい。この場合、ポスター２の交換は、表板５の交換により行われる。
【００３２】
表板５及び底部９を含む電飾看板１の形状は、板状の他、波状、円柱状又は球状等の湾曲した形状にすることも可能である。この場合、部分照明ユニット４のシート２１、２２、ＬＥＤテープ２３の素材に柔軟で湾曲可能な素材を採用すればよい。
【産業上の利用可能性】
【００３３】
本考案は、看板にセットされたポスターの一部を他よりも目立たせて看者の注意をひくことができるため、遊技場、店舗だけでなく、看板に類する道路標識等にも使うことができる。
【符号の説明】
【００３４】
１        電飾看板
２        ポスター
３        強調しようとする部分
４        部分照明ユニット
５        表板
６        ポケット
７        ポスター部
８        基部
９        底部
１０      外周フレーム
１１      全面照明ユニット
１２      外周照明ユニット
１３      導光板
１４      アルミフレーム
１５、１６、２３  ＬＥＤテープ
１７      溝
１８      押さえ部材
１９      スペーサー
２０      ホログラムシート
２１、２２  シート
２４、２５  電源コード
２６      穴
２７      電源装置
【図１】
0003211723.tif 000003
【図２】
0003211723.tif 000004
【図３】
0003211723.tif 000005
【図４】
0003211723.tif 000006
【図５】
0003211723.tif 000007
【図６】
0003211723.tif 000008
【手続補正書】
【提出日】平成29年5月25日(2017.5.25)
【手続補正１】
【補正対象書類名】実用新案登録請求の範囲
【補正対象項目名】請求項４
【補正方法】変更
【補正の内容】
【請求項４】
前記基部は前記ポスター部の全面を照明する全面照明ユニットを含み、前記部分照明ユニットは前記全面照明ユニットよりも明るく前記所望の部分を照明するようになっている、請求項３に記載の電飾看板。